(57)【要約】  課題：  悪条件の伝搬路において、ＴＭＣＣキャリア信号を復調することを目的とする。  解決手段：  複数のアンテナで受信したＯＦＤＭ信号を復調し、復調信号から遅延プロファイルやコンスタレーションやＢＥＲなどの伝搬路情報を求めて可視化し受信支援画面情報を表示する受信装置において、遅延プロファイルやコンスタレーションやＢＥＲなどの伝搬路情報を、各アンテナの複数伝搬路ごとに、重ね合わせて色分け表示し、受信困難な各アンテナの複数伝搬路のみ色分けするか、各アンテナの複数伝搬路ごとに輪郭で色分け表示け表示するか、各アンテナの複数伝搬路ごとに色分けカーソルで比較表示する。
2015104934.tif 000002
【特許請求の範囲】
【請求項１】
複数の受信アンテナと、複数の受信信号から復調信号を復調する復調部と前記複数の受信信号から遅延プロファイルやコンスタレーションやＢＥＲなどの伝搬路特性の複数の伝搬路情報を求める伝搬路情報演算部と、前記復調信号から受信情報を求める受信情報処理部と、前記受信情報と前記伝搬路情報を可視化する受信支援画面生成部と、前記受信支援画面情報を表示する画面表示部とを具備する受信装置において、
前記伝搬路情報を各アンテナの複数伝搬路ごとに色分けし、重ね合わせて比較表示する画面を生成する手段とを有し、前記画面表示部に前記複数の伝搬路情報を少なくとも受信困難な各アンテナの複数伝搬路ごとに色分けし、重ね合わせて比較表示することを特徴とする受信装置。
【請求項２】
複請求項１の受信装置において、
前記複数の伝搬路情報を受信困難な各アンテナの複数伝搬路のみ色分けして比較表示する画面を生成する手段を有し、前記画面表示部に前記複数の伝搬路情報を受信困難な各アンテナの複数伝搬路のみ色分けして比較表示すること、
前記複数の伝搬路情報を各アンテナの複数伝搬路ごとに色分けしたカーソルを用いて比較表示する画面を生成する手段を有し、前記画面表示部に前記複数の伝搬路情報を各アンテナの複数伝搬路ごとに色分けしたカーソルを用いて比較表示すること、
前記複数の伝搬路情報を各アンテナの複数伝搬路ごとに色分けした輪郭線を用いて比較表示する画面を生成する手段を有し、前記画面表示部に前記複数の伝搬路情報を各アンテナの複数伝搬路ごとに色分けした輪郭線を用いて比較表示すること、
の少なくとも一つの生成する手段を有し比較表示をすることを特徴とする受信装置。
【請求項３】
複数の受信アンテナと、複数の受信信号から復調信号を復調する復調部と前記複数の受信信号から遅延プロファイルやコンスタレーションやＢＥＲなどの伝搬路特性の複数の伝搬路情報を求める伝搬路情報演算部と、前記復調信号から受信情報を求める受信情報処理部と、前記受信情報と前記伝搬路情報を可視化する受信支援画面生成部と、前記受信支援画面情報を表示する画面表示部とを具備する受信装置において、
前記伝搬路情報を少なくとも受信困難な各アンテナの複数伝搬路ごとに色分けし、重ね合わせて比較表示する受信支援画面の表示方法。
【請求項４】
複請求項３の受信支援画面の表示方法において、
前記画面表示部に前記複数の伝搬路情報を受信困難な各アンテナの複数伝搬路のみ色分けして比較表示すること、
前記画面表示部に前記複数の伝搬路情報を各アンテナの複数伝搬路ごとに色分けしたカーソルを用いて比較表示することと、
前記画面表示部に前記複数の伝搬路情報を各アンテナの複数伝搬路ごとに色分けした輪郭線を用いて比較表示すること、
の少なくとも一つの比較表示をすることを特徴とする受信支援画面の表示方法。 
【発明の詳細な説明】
【技術分野】
【０００１】
本発明は、例えば、送受信アンテナが複数備えられる通信方式がＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式であるＭＩＭＯ（Ｍｕｌｔｉｐｌｅ  Ｉｎｐｕｔ  Ｍｕｌｔｉｐｌｅ  Ｏｕｔｐｕｔ）の通信装置に関する。
【背景技術】
【０００２】
ＭＩＭＯ伝送は、複数本の送信アンテナを用いて、同一の周波数において無線信号を送出する。伝搬路ではそれぞれのアンテナから送出されたデータが空間の中で多重化される。受信アンテナも複数本用いて、その信号を受信する。【０００３】
放送用素材映像を伝送する機材は日本国内では、ＦＰＵ（Field  Pick  Up）と称される。
ＦＰＵで送信されるデータは送信制御部にて、ＯＦＤＭ変調され、映像、音声その他のデータ、パイロット信号（ＣＰ：Ｃｏｎｔｉｎｕａｕｓ  Ｐｉｌｏｔ）、伝送制御情報（ＴＭＣＣ：Transmission  and  Multiplexing  Configuration  and  Control）、予備データ（ＡＵＸ）などが一つのＯＦＤＭシンボルとして構成される。【０００４】
ＯＦＤＭ信号は、ＩＦＦＴ処理後の時間軸波形の一部のコピーをシンボルの前に付加したガードインターバルからＯＦＤＭシンボルが構成される。
ＯＦＤＭ方式は、ガードインターバルを付加することで、ガードインターバル期間内の遅延時間の遅延波に対しては、そのシンボル間干渉による劣化を避けることが出来るため、マルチパスフェージングに対して、強い耐性を有することができる。
ＯＦＤＭ伝送はその方式上、マラソン競技中継等の移動体伝送に用いられることが多い。 屋外での伝送は、その地形に応じて送信機から直接到来する主波の他に、建物等から反射して遅延時間を伴って到来する反射波が存在するマルチパス通信路が形成される。更に、移動体伝送においては、主波と反射波のレベルも時々刻々と変化するフェージング環境も発生することがある。【０００５】
このようなマルチパスは伝送誤りを引き起こし易く、マラソン中継においては、伝送誤りにより画像のフリーズを引き起こしてしまうことがある。
中継の信頼性を上げるためには、伝搬路特性を観測し、伝搬路特性の情報（以下伝搬路情報）に基づいた伝送を行うことは非常に有効な手段となる。
伝搬路特性を観測する手段として最も良く用いられている方法に、主波や反射波のレベルと遅延時間を算出する遅延プロファイルがある。【０００６】
ＦＰＵの伝送システムを例に説明する。
デジタル放送中継において、受信機側で伝送状況を確認するために、従来受信装置の受信支援部が出力する受信支援画面の模式図の図２で示すような受信状況確認画面で可視化された情報を利用する。
３１でチャンネル、モードプリセット番号、電界値、マージン、３２でＢＥＲ、３３で伝送送信装置のID番号、３４で電界値のアナログメータ、３５で遅延プロファイル情報、３６でコンスタレーション、３７で伝送モード情報を確認することが出来る。
この可視化された情報を元に、伝送装置の操作者は簡単に伝搬路状況を確認し、確実な運用を実施することが出来る。【０００７】
次にＭＩＭＯ伝送を説明する。ＭＩＭＯ伝送は、複数本の送信アンテナを用いて、同一の周波数において無線信号を送出する。伝搬路ではそれぞれのアンテナから送出されたデータが空間の中で多重化される。受信アンテナも複数本用いて、その信号を受信する。ここでＭＩＭＯ−ＯＦＤＭ方式を用いた伝送システムの構成を示すブロック図の図３に送信アンテナ２本、受信アンテナ２本用いた２×２ＭＩＭＯを示す。
上図の伝搬路モデルで示すように、ＭＩＭＯ伝送は送信アンテナ数×受信アンテナ数とおりの伝搬路が存在する。
そのため、受信装置の操作者が確実な伝搬路特性を把握するためには、伝搬路の数だけ受信支援装置で各々の伝搬路状況を確認することになる。【０００８】
４つの映像表示装置を用意することは、スペースに限りがあるヘリコプター、中継車、指令所などで困難となることが予想される。
４分割画面の場合では、1つ1つが小さく表示されてしまうため視認性が悪化する。伝搬路を順番に表示させていく方法は、逐次各々の伝搬路特性を把握できない問題があること、現在表示されている伝搬路が一瞬で判断しにくいことが考えられる。【０００９】
受信支援装置を用いて、伝送装置の使用者が遅延プロファイルを確認するためには、４つの画面を用意して４画面出力させる方法、１画面に４分割された画面を表示する方法、１画面に１つの伝搬路を順番に表示させていく方法が考えられる。例えば、複数のアンテナで受信した信号の受信状態情報を、各アンテナごとに色分け表示する（特許文献１参照）。また複数のアンテナで受信した信号の受信電界強度をバー又は測定値で表示している（特許文献２参照）。
【先行技術文献】
【特許文献】
【００１０】
【特許文献１】特開２００７−３２１１８９号公報
【特許文献２】特開２００９−１７１２０９号公報
【発明の概要】
【発明が解決しようとする課題】
【００１１】
本発明は、このような従来の事情に鑑み為されたもので、１つの映像表示装置を用いて、全ての伝搬路状況を同時に確認することを目的とする。
【課題を解決するための手段】
【００１２】
上記目的を達成するため、本発明は、複数の受信アンテナと、複数の受信信号から復調信号を復調する復調部と前記複数の受信信号から遅延プロファイルやコンスタレーションやＢＥＲなどの伝搬路特性の複数の伝搬路情報を求める伝搬路情報演算部と、前記復調信号から受信情報を求める受信情報処理部と、前記受信情報と前記伝搬路情報を可視化する受信支援画面生成部と、前記受信支援画面情報を表示する画面表示部とを具備する受信装置において、
遅延プロファイルやコンスタレーションやＢＥＲなどの複数の受信状態情報を少なくとも受信困難な各アンテナの複数伝搬路ごとに色分けし、重ね合わせて比較表示する画面を生成する手段とを有し、前記画面表示部に前記複数の受信状態情報を少なくとも受信困難な各アンテナの複数伝搬路ごとに色分けし、重ね合わせて比較表示すること、
前記伝搬路情報を各アンテナの複数伝搬路ごとに色分けし、重ね合わせて比較表示する画面を生成する手段とを有し、前記画面表示部に前記複数の伝搬路情報を少なくとも受信困難な各アンテナの複数伝搬路ごとに色分けし、重ね合わせて比較表示することを特徴とする受信装置である。【００１３】
さらに、上記の受信装置において、
前記複数の伝搬路情報を受信困難な各アンテナの複数伝搬路のみ色分けして比較表示する画面を生成する手段を有し、前記画面表示部に前記複数の伝搬路情報を受信困難な各アンテナの複数伝搬路のみ色分けして比較表示すること、
前記複数の伝搬路情報を各アンテナの複数伝搬路ごとに色分けしたカーソルを用いて比較表示する画面を生成する手段を有し、前記画面表示部に前記複数の伝搬路情報を各アンテナの複数伝搬路ごとに色分けしたカーソルを用いて比較表示すること、
前記複数の伝搬路情報を各アンテナの複数伝搬路ごとに色分けした輪郭線を用いて比較表示する画面を生成する手段を有し、前記画面表示部に前記複数の伝搬路情報を各アンテナの複数伝搬路ごとに色分けした輪郭線を用いて比較表示すること、
の少なくとも一つの生成する手段を有し比較表示をすることを特徴とする受信装置である。【００１４】
また、複数の受信アンテナと、複数の受信信号から復調信号を復調する復調部と前記複数の受信信号から遅延プロファイルやコンスタレーションやＢＥＲなどの伝搬路特性の複数の伝搬路情報を求める伝搬路情報演算部と、前記復調信号から受信情報を求める受信情報処理部と、前記受信情報と前記伝搬路情報を可視化する受信支援画面生成部と、前記受信支援画面情報を表示する画面表示部とを具備する受信装置において、
前記伝搬路情報を少なくとも受信困難な各アンテナの複数伝搬路ごとに色分けし、重ね合わせて比較表示する受信支援画面の表示方法である。
さらに、上記の受信支援画面の表示方法において、
前記画面表示部に前記複数の伝搬路情報を受信困難な各アンテナの複数伝搬路のみ色分けして比較表示すること、
前記画面表示部に前記複数の伝搬路情報を各アンテナの複数伝搬路ごとに色分けしたカーソルを用いて比較表示することと、
前記画面表示部に前記複数の伝搬路情報を各アンテナの複数伝搬路ごとに色分けした輪郭線を用いて比較表示すること、
の少なくとも一つの比較表示をすることを特徴とする受信支援画面の表示方法である。【００１５】
つまり、本発明は、複数伝搬路の遅延プロファイル情報やコンスタレーション情報等に、各伝搬路別に色彩を加え、その情報を重ね合わせて画面表示部の画面に表示させる。
【発明の効果】
【００１６】
以上説明したように、本発明によると、画面表示部の画面に複数伝搬路の遅延プロファイルやコンスタレーション情報等を同時に表示させ、伝送装置の使用者が一度に全ての伝搬路状況を逐次把握することができる。
また、映像表示装置を増設することなく、受信支援環境を構成することができる。
【図面の簡単な説明】
【００１７】
【図１】本発明の1実施例の受信装置の構成を示すブロック図
【図２】従来の受信装置の受信支援部が出力する受信支援画面の模式図
【図３】ＭＩＭＯ−ＯＦＤＭ方式を用いた伝送システムの構成を示すブロック図
【図４】４分割画面を用いた受信支援画面の模式図
【図５】時分割を用いた受信支援画面の模式図
【図６Ａ】本発明の1実施例の重畳表示を用いた受信支援画面の模式図
【図６Ｂ】本発明の1実施例の重畳表示を用いた受信支援画面の模式図（最大値の比較ガイドライン入り）
【図６Ｃ】本発明の1実施例の重畳表示を用いた受信支援画面の模式図（遅延プロファイルの輪郭化）
【図６Ｄ】本発明の1実施例の重畳表示を用いた受信支援画面の模式図（遅延プロファイルの輪郭化と最大値の比較ガイドライン入り）
【図７Ａ】本発明の１実施例の受信支援部の構成を示すブロック図
【図７Ｂ】本発明の１実施例の受信支援部の構成を示すブロック図（遅延プロファイルの輪郭化と最大値の比較ガイドライン入り）
【図８Ａ】空間ダイバーシティを利用した受信機を用いたＯＦＤＭ伝送システムの構成を示すブロック図
【図８Ｂ】複数の送信機と複数の受信機を用いたＯＦＤＭ伝送システムの構成を示すブロック図
【図９Ａ】本発明の他の1実施例の重畳表示を用いた受信支援画面の模式図
【図９Ｂ】本発明の他の1実施例の重畳表示を用いた受信支援画面の模式図（最大値の比較ガイドライン入り）
【図１０Ａ】本発明の他の1実施例の受信支援部の構成を示すブロック図
【図１０Ｂ】本発明の他の１実施例の受信支援部の構成を示すブロック図（最大値の比較ガイドライン入り）
【図１１Ａ】コンスタレーション分散の最大値の輪郭を各アンテナの複数伝搬路ごとに色分けし比較ガイドラインを入れた本発明の他の1実施例の重畳表示を用いた受信支援画面の模式図
【図１１Ｂ】コンスタレーション分散の最大値の輪郭をコンスタレーション分散が劣化した複数伝搬路のみ色分けした本発明の他の1実施例の重畳表示を用いた受信支援画面の模式図
【図１２Ａ】コンスタレーション分散の最大値の輪郭を各アンテナの複数伝搬路ごとに色分けし比較ガイドラインを入れた本発明の他の１実施例の受信支援部の構成を示すブロック図
【図１２Ｂ】コンスタレーション分散の最大値の輪郭をコンスタレーション分散が劣化した複数伝搬路のみ色分けした本発明の他の1実施例の受信支援部の構成を示すブロック図
【発明を実施するための形態】
【実施例１】
【００１８】
本発明に係る実施例を図１から図５と図６Ａと図７Ａを参照して説明する。【００１９】
本発明の第１実施例として、ＦＰＵの伝送システムを説明する。
ＭＩＭＯ−ＯＦＤＭ方式を用いた伝送システムの構成を示すブロック図の図３において、１は送信制御部、２と３は送信高周波部、４と５と６と７はアンテナ、８と９は送信高周波数部、１０は受信制御部である。
本発明の1実施例の受信装置の構成を示すブロック図の図１において、１１は受信支援部、１２は復調部、１４は映像表示部、１６は伝搬路情報演算部、１７は伝搬路情報処理部、１８は受信情報処理部、１９は受信支援画面生成部である。【００２０】
ＭＩＭＯ−ＯＦＤＭ方式の伝送システムは１つの送信制御部と２つの送信高周波部と２つの送信アンテナで構成される送信部と、１つの受信制御部と２つの受信高周波部と２つの受信アンテナで構成される受信部での伝送システムが一般的である。送信制御部は中間周波数ＩＦ（Internal  Frequency）信号を、送信高周波部に対して送信する。送信高周波部ではＩＦ信号をＲＦ（Radio  Frequency）信号に変調し、電力増幅を行った後、送信アンテナから空間へ送出される。【００２１】
送信制御部は、二つの系統毎に異なるＩＦ信号を出力する。送信制御部は、映像や音声その他のデータのTS信号に対して、誤り訂正符号を付加したり、周波数・時間インターリーブを行ったり、直交変調を行ったりする信号処理を行う。
送信高周波部ではＩＦ信号をＲＦ信号に変調し、電力増幅を行った後、送信アンテナから空間へ送出される。２つの送信高周波部２、３は同一の周波数にてアンテナ４、５から信号を送信する。
２つの受信高周波部８、９は同一の周波数をアンテナ６、７を用いて受信する。アンテナ６は、それぞれ異なる伝搬路の影響を受けたアンテナ４、５からの２つの信号を受信する。アンテナ７も同様に、それぞれ異なる伝搬路の影響を受けたアンテナ４、５からの２つの信号を受信する。【００２２】
受信高周波部では、受信アンテナが受信したＲＦ信号をＩＦ信号に周波数変換する。
受信制御部では、ＩＦ信号を復調し、ＴＳ（Transport  Stream）信号を出力する。
受信制御部では、復調したデータの誤り訂正符号の復号化、周波数・時間のインターリーブの信号処理を行う。【００２３】
本発明に係る実施例を図６Ａと図７Ａを参照して説明する。
本発明の１実施例の受信支援部の構成を示すブロック図の図７Ａにおいて、図１の伝搬路情報処理部１７は遅延プロファイルデータ処理部１７Ａとなっている。２１と２２と２３と２４は色彩追加部で、２５は総合データ生成部である。
ＭＩＭＯ−ＯＦＤＭ方式を用いた伝送システムの構成を示すブロック図の図３に示した２×２のMIMO伝送方式の伝搬路モデル
2015104934.tif 000003
は次の数列で表される。
2015104934.tif 000004
【００２４】
このように、受信アンテナでは４通りの伝搬路を通ったデジタル信号を受信することとなる。本発明の1実施例の重畳表示を用いた受信支援画面の模式図の図６Ａにおいて、伝搬路
2015104934.tif 000005
の遅延プロファイル、伝搬路
2015104934.tif 000006
の遅延プロファイル、伝搬路
2015104934.tif 000007
の遅延プロファイル、伝搬路
2015104934.tif 000008
の遅延プロファイル、本発明の受信支援画面を示している。
色彩をグレースケール（灰色の諧調）に変換した白黒の図面では、色彩が判別できないので、図６Ａでは黄は輪郭を点線で囲い、緑は輪郭を長い１点鎖線で囲い、青は輪郭を短い１点鎖線で囲い、赤は輪郭を2点鎖線で囲い判別できるようにしている。また、背景が暗い場合は色彩の輪郭線を白にし、背景が明るい場合は色彩の輪郭を白にして、色彩の判別を容易にしている。実際のカラー画面では色彩の輪郭線は不要である。【００２５】
本発明の１実施例の受信支援部の構成を示すブロック図の図７Ａにおいて、復調データの受信情報処理部、
2015104934.tif 000009
から
2015104934.tif 000010
の各遅延プロファイルに対して色彩を追加する機能と、全ての伝搬路特性をまとめる総合遅延プロファイルデータ生成機能を有する遅延プロファイルデータ処理部と、映像表示装置が表示する映像信号を生成する受信支援画面生成部によって構成される。【００２６】
本発明の１実施例の受信支援部の構成を示すブロック図の図７Ａの遅延プロファイルデータ処理部では、各々の遅延プロファイルに対して、任意の色彩を与える。この場合、伝搬路
2015104934.tif 000011
の遅延プロファイルは従来どおりの白色を与えて、伝搬路
2015104934.tif 000012
の遅延プロファイルは赤色を与えて、伝搬路
2015104934.tif 000013
の遅延プロファイルには緑色を与えて、伝搬路
2015104934.tif 000014
の遅延プロファイルには青色を与えて表現する。【００２７】
そして、各々の遅延プロファイルを重ねて、一画面に全てを表示させた総合遅延プロファイルデータを生成する。
受信支援画面生成部では、前述の総合遅延プロファイルデータを用いて、その他の受信電界値、チャンネル、ＢＥＲ値、プリセットデータなどと合わせて、図６Ａに示す受信支援画面信号を映像表示装置に送る。
その信号を映像表示させることにより、伝送装置使用者が、複数存在する（この実施例では４つ）伝搬路特性を一度に認識することができる。
そのため、実施例1では、複数ある伝搬路の遅延プロファイルをその状況に応じた色で表示させることにより、問題のある伝搬路を色で瞬時に把握することができる。【００２８】
なお、本発明はＭＩＭＯ−ＯＦＤＭ方式に限らず、図８Ａで示す空間ダイバーシティを利用する受信機を用いて、複数伝搬路を使ってデジタル伝送するＯＦＤＭ伝送装置においても問題のある伝搬路を色で瞬時に把握することに適用することが可能である。
また、図８Ｂで示す複数の送信機と複数の受信機を用いたＯＦＤＭ伝送システムの構成を示すブロック図の様に、複数伝搬路を使って、周波数やデータが異なる送信信号を２波受信可能な複数の送信機と複数の受信機との伝送装置において、一つの受信支援画面で２波の伝搬路状況を把握する場合にも問題のある伝搬路を色で瞬時に把握することに適用が可能である。【００２９】
図８Ａと図８Ｂにおいて、ＭＩＭＯ−ＯＦＤＭ方式を用いた伝送システムの構成を示すブロック図の図３との相違は、送信制御部が送信高周波部２ケ用の送信制御部１から、送信高周波部１ケ用の送信制御部１３と信制御部１５になり、復調部が、復調データが単独用の復調１２から、復調データＡ用と復調データＢ用との復調部２０になったことである。
【実施例２】
【００３０】
本発明に係る実施例２を図９Ａと図１０Ａを参照して説明する。
本発明の他の1実施例の受信支援部の構成を示すブロック図の図１０において、図１の伝搬路情報処理部１７は遅延プロファイルデータ処理部１７Ａとなっている。２１と２２と２３と２４は色彩追加部で、２５は総合データ生成部で、２６：プロファイル情報認識部である。【００３１】
実施例２の伝搬路モデルは前述の実施例１と同様である。
図９の実施例２の受信支援装置が処理し、映像表示させた受信支援画面の説明図において、伝搬路
2015104934.tif 000015
の遅延プロファイル、伝搬路
2015104934.tif 000016
の遅延プロファイル、伝搬路
2015104934.tif 000017
の遅延プロファイル、伝搬路
2015104934.tif 000018
の遅延プロファイル、本発明の受信支援画面を示している。
本発明の受信支援画面内に示した遅延プロファイルの点Aと点Bの間は、OFDM信号に含まれるガードインターバル期間で補償される時間を示している。【００３２】
図１０Ａに示す実施例２の受信支援装置のブロック図において、復調データの受信情報処理部、
2015104934.tif 000019
から
2015104934.tif 000020
の各遅延プロファイルを監視する情報認識機能と、各々の遅延プロファイルの状況に応じた色彩を追加する機能と、全ての伝搬路特性をまとめる総合遅延プロファイルデータ生成機能を有する遅延プロファイルデータ処理部と、映像表示装置が表示する映像信号を生成する受信支援画面生成部によって構成される。【００３３】
図９Ａの受信支援画面を説明する。
ガードインターバルが付加されたOFDM信号は、その期間内の遅延波であれば、シンボル間干渉による受信状況の劣化を防ぐことが可能である。
そのため、本発明では、遅延プロファイルデータ処理部において、各々の遅延プロファイル情報を監視する機能部により、ガードインターバル期間を越えた遅延波、ガードインターバル期間端に近づく主波を認識し、その状況に応じて遅延プロファイルに色彩を与える。ガードインターバル期間内の主波に関しては、復調処理が可能であるため、従来どおりの白等の単一の色彩を与えるものとしている。
遅延プロファイル情報認識部では、色づけした伝搬路を後段の受信支援画面生成部に伝える。そのデータが与えられた受信支援画面生成部では、どの伝搬路がガードインターバル期間を越えているのかを表示する機能を有する。【００３４】
図９Ａの例では、伝搬路
2015104934.tif 000021
で発生した遅延波を黄色で示している。また伝搬路
2015104934.tif 000022
の遅延波は主波に近い振幅値を示しているため、伝搬路
2015104934.tif 000023
の遅延波よりも赤みを帯びた黄色を付加しており、ガードインターバル期間にある主波が点Ｂに近づいていることを示すために、赤色を付加している。
色彩をグレースケール（灰色の諧調）に変換した白黒の図面では、色彩が判別できないので、図６Ａと同様に図９Ａと図９Ｂでは黄は輪郭を点線で囲い、緑は輪郭を長い１点鎖線で囲い、青は輪郭を短い１点鎖線で囲い、赤は輪郭を2点鎖線で囲い判別できるようにしている。また、背景が暗い場合は色彩の輪郭線を白にし、背景が明るい場合は色彩の輪郭を白にして、色彩の判別を容易にしている。実際のカラー画面では色彩の輪郭線は不要である。
更に、図９Ｂでは緑の長い１点鎖線と赤の2点鎖線の遅延プロファイルの最大値の比較ガイドラインを追加している。そのため、図９Ａよりも、遅延プロファイルの最大値の比較ガイドライン入りの本発明の1実施例の重畳表示を用いた受信支援画面の模式図の図９Ｂの方が更に判り易い。
実施例２では、複数ある伝搬路の遅延プロファイルの内、ガードバンドを超えた遅延の遅延プロファイルをその状況に応じた色で表示させ、ガードバンドを超えない遅延の遅延プロファイルは白等の単一の色彩で表示させることにより、問題のある伝搬路を色で瞬時に把握することができる。
【実施例３】
【００３５】
本発明に係る実施例３を図６Ｂと図６Ｃと図６Ｄと図７Ｂを参照して、実施例１との相違部分のみ説明する。
遅延プロファイルの輪郭化と最大値の比較ガイドライン入りの本発明の１実施例の受信支援部の構成を示すブロック図の図７Ｂにおいて、４１と４２と４３と４４は輪郭抽出部で、４５と４６と４７と４８は最大値検出部であり、実施例１の図７Ａから追加されている。図１の伝搬路情報処理部１７は遅延プロファイルデータ処理部１７Ａとなっている。【００３６】
図６Ｂは最大値の比較ガイドライン入りの本発明の1実施例の重畳表示を用いた受信支援画面の模式図であり、図６Ｃは遅延プロファイルの輪郭化の本発明の1実施例の重畳表示を用いた受信支援画面の模式図であり、図６Ｄは遅延プロファイルの輪郭化と最大値の比較ガイドライン入りの本発明の1実施例の重畳表示を用いた受信支援画面の模式図である。
色彩をグレースケール（灰色の諧調）に変換した白黒の図面では、色彩が判別できないので、図６Ａと同様に図６Ｂでは黄は輪郭を点線で囲い、緑は輪郭を長い１点鎖線で囲い、青は輪郭を短い１点鎖線で囲い、赤は輪郭を2点鎖線で囲い判別できるようにしている。また、背景が暗い場合は色彩の輪郭線を白にし、背景が明るい場合は色彩の輪郭を白にして、色彩の判別を容易にしている。実際のカラー画面では色彩の輪郭線は不要である。
更に、図６Ｂでは黄の点線と緑の長い１点鎖線と青の短い１点鎖線と赤の2点鎖線の遅延プロファイルの最大値の比較ガイドラインを追加している。そのため、図６Ａよりも、遅延プロファイルの最大値の比較ガイドライン入りの本発明の1実施例の重畳表示を用いた受信支援画面の模式図の図６Ｂの方が更に判り易い。【００３７】
つまり、実施例１との相違部分は、遅延プロファイルの輪郭化と最大値の比較ガイドライン入りの実現手段と動作である。
実施例３では、複数ある伝搬路の遅延プロファイルの輪郭化と最大値の比較ガイドラインをその状況に応じた色で表示させることにより、問題のある伝搬路を色で瞬時に把握することができる。
【実施例４】
【００３８】
本発明に係る実施例４を図９Ｂと図１０Ｂを参照して、実施例２との相違部分のみ説明する。
図９Ｂは最大値の比較ガイドライン入りの本発明の他の1実施例の重畳表示を用いた受信支援画面の模式図であり、実施例１の図７Ａから追加されている。
最大値の比較ガイドライン入りの本発明の他の１実施例の受信支援部の構成を示すブロック図の図１０Ｂにおいて、４５と４６と４７と４８は最大値検出部であり、実施例２の図１０Ａから追加されている。図１の伝搬路情報処理部１７は遅延プロファイルデータ処理部１７Ａとなっている。【００３９】
実施例４では、複数ある伝搬路の遅延プロファイルの輪郭化の内、ガードバンドを超えた遅延の遅延プロファイルをその状況に応じた色の塗りつぶしで表示させ、ガードバンドを超えない遅延の遅延プロファイルはその状況に応じた色の輪郭で表示させることにより、問題のある伝搬路を色の塗りつぶしで瞬時に把握することができる。
【実施例５】
【００４０】
本発明に係る実施例５を図１１Ａと図１２Ａを参照して、実施例４との相違部分のみ説明する。
図１１Ａはコンスタレーション分散の最大値の輪郭を各アンテナの複数伝搬路ごとに色分けした本発明の他の1実施例の重畳表示を用いた受信支援画面の模式図であり、従来の図２から、各アンテナの複数伝搬路ごとに色分けした最大値の輪郭とが追加されている。そのため、図１の伝搬路情報処理部１７はコンスタレーションデータ処理部１７Ｂとなっている。
コンスタレーション分散の最大値の輪郭を各アンテナの複数伝搬路ごとに色分けした本発明の他の１実施例の受信支援部の構成を示すブロック図の図１２Ａにおいて、最大値の比較ガイドライン入りの本発明の他の１実施例の受信支援部の構成を示すブロック図の図１０Ｂとの相違は、遅延プロファイルの替わりにコンスタレーションが入力し、遅延プロファイルデータ処理部１７の替わりにコンスタレーションデータ処理部４９があることである。図１０Ｂと同様に、２１と２２と２３と２４は色彩追加部であり４１と４２と４３と４４は輪郭抽出部である。【００４１】
実施例５では、複数ある伝搬路のコンスタレーションの最大値をその状況に応じた色の輪郭で表示させることにより、問題のある伝搬路をコンスタレーションの最大値の色の輪郭で瞬時に把握することができる。
【実施例６】
【００４２】
本発明に係る実施例６を図１１Ｂと図１２Ｂを参照して、実施例５との相違部分のみ説明する。
図１１Ｂはコンスタレーション分散の最大値の輪郭をコンスタレーション分散が劣化した複数伝搬路のみ色分けした本発明の他の1実施例の重畳表示を用いた受信支援画面の模式図であり、従来の図２から、コンスタレーション分散が劣化した複数伝搬路のみ色分けした最大値の輪郭とが追加されている。そのため、図１の伝搬路情報処理部１７はコンスタレーション情報処理部１７Ｂとなっている。
コンスタレーション分散の最大値の輪郭をコンスタレーション分散が劣化した複数伝搬路のみ色分けした本発明の他の1実施例の受信支援部の構成を示すブロック図の図１２Ｂにおいて、本発明の他の１実施例の受信支援部の構成を示すブロック図の図１０Ａとの相違は、伝搬路情報として遅延プロファイルの替わりにコンスタレーションが入力し、遅延プロファイル情報処理部１７の替わりにコンスタレーション情報処理部４９があり、図７Ｂと同様に輪郭抽出部の４１と４２と４３と４４があることである。また、図１０Ｂと同様に、２１と２２と２３と２４は色彩追加部である。【００４３】
実施例６では、複数ある伝搬路の内で、コンスタレーション分散が劣化した複数伝搬路のみコンスタレーションの最大値をその状況に応じた色の輪郭で表示させることにより、ンスタレーション分散が劣化した伝搬路をコンスタレーションの最大値の色の輪郭で瞬時に把握することができる。【００４４】
この出願は、２０１４年１月９日に出願された日本出願特願２０１４−００２２６７を基礎として優先権の利益を主張するものであり、その開示の全てを引用によってここに取り込む。
【産業上の利用可能性】
【００４５】
以上説明したように、本発明によると、低解像度の受信支援画面に、複数伝搬路の遅延プロファイルやコンスタレーション分散等の受信状態情報を同時に可視化表示させ、伝送装置の使用者が一度に全ての伝搬路状況を逐次把握することができる。そのため、ＭＩＭＯと空間ダイバーシティと複数の送信機と複数の受信機との伝送との少なくともいづれか一つを利用したＯＦＤＭ伝送の安定運用が容易になる。【００４６】
また、高解像度の映像表示装置を増設することなく、受信支援環境を構成することができる。
【符号の説明】
【００４７】
１，１３，１５：送信制御部、２，３：送信高周波部、４，５，６，７：アンテナ、８，９：送信高周波数部、１０：受信制御部、１１，２７：受信支援部、１２，２０：復調部、１４：映像表示部、１６：伝搬路情報演算部、１７：伝搬路情報処理部、１７Ａ：遅延プロファイルデータ処理部、１７Ｂ：コンスタレーションデータ処理部、１７Ｃ：ＢＥＲデータ処理部、１８：受信情報処理部、１９：受信支援画面生成部、２１，２２，２３，２４：色彩追加部、２５：総合データ生成部、２６：プロファイル情報認識部、４１，４２，４３，４４：輪郭抽出部、４５，４６，４７，４８：最大値検出部、
【図１】
2015104934.tif 000024
【図２】
2015104934.tif 000025
【図３】
2015104934.tif 000026
【図４】
2015104934.tif 000027
【図５】
2015104934.tif 000028
【図６Ａ】
2015104934.tif 000029
【図６Ｂ】
2015104934.tif 000030
【図６Ｃ】
2015104934.tif 000031
【図６Ｄ】
2015104934.tif 000032
【図７Ａ】
2015104934.tif 000033
【図７Ｂ】
2015104934.tif 000034
【図８Ａ】
2015104934.tif 000035
【図８Ｂ】
2015104934.tif 000036
【図９Ａ】
2015104934.tif 000037
【図９Ｂ】
2015104934.tif 000038
【図１０Ａ】
2015104934.tif 000039
【図１０Ｂ】
2015104934.tif 000040
【図１１Ａ】
2015104934.tif 000041
【図１１Ｂ】
2015104934.tif 000042
【図１２Ａ】
2015104934.tif 000043
【図１２Ｂ】
2015104934.tif 000044
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
複数の受信アンテナと、複数の受信信号から復調信号を復調する復調部と前記複数の受信信号から遅延プロファイルやコンスタレーションやＢＥＲなどの伝搬路特性の複数の伝搬路情報を求める伝搬路情報演算部と、前記復調信号から受信情報を求める受信情報処理部と、前記受信情報と前記伝搬路情報を可視化するための映像信号を生成する受信支援画面生成部と、前記受信支援画面生成部で生成された映像信号を表示する画面表示部とを具備する受信装置において、
前記伝搬路情報を各アンテナの複数伝搬路ごとに色分けし、重ね合わせて比較表示する画面を生成する手段とを有し、前記画面表示部に前記複数の伝搬路情報を少なくとも受信困難な各アンテナの複数伝搬路ごとに色分けし、重ね合わせて比較表示することを特徴とする受信装置。
【請求項２】
複請求項１の受信装置において、
前記複数の伝搬路情報を受信困難な各アンテナの複数伝搬路のみ色分けして比較表示する画面を生成する手段を有し、前記画面表示部に前記複数の伝搬路情報を受信困難な各アンテナの複数伝搬路のみ色分けして比較表示すること、
前記複数の伝搬路情報を各アンテナの複数伝搬路ごとに色分けしたカーソルを用いて比較表示する画面を生成する手段を有し、前記画面表示部に前記複数の伝搬路情報を各アンテナの複数伝搬路ごとに色分けしたカーソルを用いて比較表示すること、
前記複数の伝搬路情報を各アンテナの複数伝搬路ごとに色分けした輪郭線を用いて比較表示する画面を生成する手段を有し、前記画面表示部に前記複数の伝搬路情報を各アンテナの複数伝搬路ごとに色分けした輪郭線を用いて比較表示すること、
の少なくとも一つの生成する手段を有し比較表示をすることを特徴とする受信装置。
【請求項３】
複数の受信アンテナと、複数の受信信号から復調信号を復調する復調部と前記複数の受信信号から遅延プロファイルやコンスタレーションやＢＥＲなどの伝搬路特性の複数の伝搬路情報を求める伝搬路情報演算部と、前記復調信号から受信情報を求める受信情報処理部と、前記受信情報と前記伝搬路情報を可視化するための映像信号を生成する受信支援画面生成部と、前記受信支援画面生成部で生成された映像信号を表示する画面表示部とを具備する受信装置において、
前記伝搬路情報を少なくとも受信困難な各アンテナの複数伝搬路ごとに色分けし、重ね合わせて比較表示する受信支援画面の表示方法。
【請求項４】
複請求項３の受信支援画面の表示方法において、
前記画面表示部に前記複数の伝搬路情報を受信困難な各アンテナの複数伝搬路のみ色分けして比較表示すること、
前記画面表示部に前記複数の伝搬路情報を各アンテナの複数伝搬路ごとに色分けしたカーソルを用いて比較表示することと、
前記画面表示部に前記複数の伝搬路情報を各アンテナの複数伝搬路ごとに色分けした輪郭線を用いて比較表示すること、
の少なくとも一つの比較表示をすることを特徴とする受信支援画面の表示方法。
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
複数の受信アンテナと、複数の受信信号から復調信号を復調する復調部と前記複数の受信信号から遅延プロファイルやコンスタレーションやＢＥＲなどの伝搬路特性の複数の伝搬路情報を求める伝搬路情報演算部と、前記復調信号から受信情報を求める受信情報処理部と、前記受信情報と前記伝搬路情報を可視化するための映像信号を生成する受信支援画面生成部と、前記受信支援画面生成部で生成された映像信号を表示する画面表示部とを具備する受信装置において、
前記伝搬路情報を各アンテナの複数伝搬路ごとに色分けし、重ね合わせて比較表示する画面を生成する手段とを有し、前記画面表示部に前記複数の伝搬路情報を少なくとも受信困難な各アンテナの複数伝搬路ごとに色分けし、重ね合わせて比較表示することを特徴とする受信装置。
【請求項２】
請求項１の受信装置において、
前記複数の伝搬路情報を受信困難な各アンテナの複数伝搬路のみ色分けして比較表示する画面を生成する手段を有し、前記画面表示部に前記複数の伝搬路情報を受信困難な各アンテナの複数伝搬路のみ色分けして比較表示すること、
前記複数の伝搬路情報を各アンテナの複数伝搬路ごとに色分けしたカーソルを用いて比較表示する画面を生成する手段を有し、前記画面表示部に前記複数の伝搬路情報を各アンテナの複数伝搬路ごとに色分けしたカーソルを用いて比較表示すること、
前記複数の伝搬路情報を各アンテナの複数伝搬路ごとに色分けした輪郭線を用いて比較表示する画面を生成する手段を有し、前記画面表示部に前記複数の伝搬路情報を各アンテナの複数伝搬路ごとに色分けした輪郭線を用いて比較表示すること、
の少なくとも一つの生成する手段を有し比較表示をすることを特徴とする受信装置。
【請求項３】
複数の受信アンテナと、複数の受信信号から復調信号を復調する復調部と前記複数の受信信号から遅延プロファイルやコンスタレーションやＢＥＲなどの伝搬路特性の複数の伝搬路情報を求める伝搬路情報演算部と、前記復調信号から受信情報を求める受信情報処理部と、前記受信情報と前記伝搬路情報を可視化するための映像信号を生成する受信支援画面生成部と、前記受信支援画面生成部で生成された映像信号を表示する画面表示部とを具備する受信装置において、
前記伝搬路情報を少なくとも受信困難な各アンテナの複数伝搬路ごとに色分けし、重ね合わせて比較表示する受信支援画面の表示方法。
【請求項４】
請求項３の受信支援画面の表示方法において、
前記画面表示部に前記複数の伝搬路情報を受信困難な各アンテナの複数伝搬路のみ色分けして比較表示すること、
前記画面表示部に前記複数の伝搬路情報を各アンテナの複数伝搬路ごとに色分けしたカーソルを用いて比較表示することと、
前記画面表示部に前記複数の伝搬路情報を各アンテナの複数伝搬路ごとに色分けした輪郭線を用いて比較表示すること、
の少なくとも一つの比較表示をすることを特徴とする受信支援画面の表示方法。
【国際調査報告】
2015104934.tif 000045
2015104934.tif 000046
2015104934.tif 000047
2015104934.tif 000048